Podtech/llm-jp-corpus-v4-ja_patent huggingface dataset:
(57)【要約】【課題】  洗濯物が洗濯ネットの中で片寄らないようにした、洗濯物が片寄らない洗濯ネットを提供する。【解決手段】  同寸の２枚の四角形の布の相対する側辺をファスナーで連結して筒状にし、その中に、相対する側辺に補強布を設けた四角形の布を挿入し、開口部の端を縫い合わせ、さらに、その外側に紐または釦等を設けたことを特徴とする洗濯物が片寄らない洗濯ネット。【選択図】図１
2009268865.tif 000002
【特許請求の範囲】
【請求項１】
同寸の２枚の四角形の布の相対する側辺をファスナーで連結して筒状にし、その中に相対する側辺に補強布を設けた四角形の布を挿入し、開口部の端を縫い合わせたことを特徴とする洗濯物が片寄らない洗濯ネット。
【請求項２】
洗濯ネットの外側に、紐または釦等を設けた請求項１の洗濯物が片寄らない洗濯ネット。
【発明の詳細な説明】
【技術分野】
【０００１】  この発明は、洗濯物が洗濯ネットの中で片寄らないようにした、洗濯物が片寄らない洗濯ネットに関するものである。
【背景技術】
【０００２】  従来、洗濯物を洗濯機で洗う時は、洗濯物の型崩れや傷みを防止するために、洗濯ネットの中に洗濯物を入れていたが、洗濯物は洗濯ネットの中で片寄りやすかった。そして、その片寄りを防止するために、洗濯物を洗濯ネットの中に入れた後、その洗濯ネットを小さく折りたたむものもあった。
【発明の開示】
【発明が解決しようとする課題】
【０００３】  これは次のような欠点があった。
（イ）洗濯ネットの中で洗濯物が片寄ってしまう。
（ロ）洗濯ネットを小さく折りたたむと、折りじわが増え、汚れも落ちにくくなる。
本発明は、以上のような欠点をなくすためになされたものである。
【課題を解決するための手段】
【０００４】  同寸の２枚の四角形の布の相対する側辺をファスナーで連結して筒状にし、その中に相対する側辺に補強布を設けた四角形の布を挿入し、開口部の端を縫い合わせて洗濯ネットを作る。そして、その洗濯ネットの外側に、紐または釦等を設ける。以上を特徴とする洗濯物が片寄らない洗濯ネットである。
【発明の効果】
【０００５】  洗濯ネットの内側の四角形の中布（３）に洗濯物を巻きつけ、さらに二つ折りにするため、洗濯物が固定され片寄りにくくなる。又小さく折りたたまないので、折りじわも少なく汚れも落ち易い。
【発明を実施するための最良の形態】
【０００６】  以下、本発明を実施するための最良の形態について説明する。
（イ）通水性の良い繊維でできた同寸の四角形の上布（１）と四角形の下布（２）を連結して筒状になるように、四角形の上布の上辺（１ａ）と四角形の下布の上辺（２ａ）にファスナーを設け結合し、次に四角形の上布の下辺（１ｂ）と四角形の下布の下辺（２ｂ）にファスナーを設け結合する。
（ロ）通水性の良い繊維でできた四角形の中布（３）の四角形の中布の上辺（３ａ）部分と四角形の中布の下辺（３ｂ）部分に、通水性、弾力性、復元力に優れた繊維素材でできた補強布（４）を設ける。
（ハ）上記（ロ）の四角形の中布（３）を上記（イ）の筒状の布に挿入し、四角形の上布の右辺（１ｃ）と四角形の中布の右辺（３ｃ）及び四角形の下布の右辺（２ｃ）が重なるように縫い合わせ、さらに、四角形の上布の左辺（１ｄ）と四角形の中布の左辺（３ｄ）及び四角形の下布の左辺（２ｄ）が重なるように縫い合わせて洗濯ネットを作る。
（ニ）洗濯ネットの外側に紐または釦等、洗濯ネットを二つ折りにした状態を固定するためのものを設ける。
本発明は、以上のような構造である。
これを使用するときは、図５で示すように、洗濯物を四角形の中布（３）と四角形の下布（２）の間に入れ、洗濯物の両端を四角形の中布（３）に巻きつけ、ファスナーを閉じる。最後に洗濯ネットを二つ折りにして、紐を結ぶ（又は、ボタンで留める）。又、洗濯物がセーター等厚手の物の場合には、図６で示すように、洗濯物を四角形の中布（３）と四角形の下布（２）の間に入れ、洗濯物を四角形の中布（３）に巻きつけ、ファスナー（５）を閉じる。最後に洗濯ネットを二つ折りにして紐を結ぶ（又は、釦で留める）。
【図面の簡単な説明】
【０００７】
【図１】  本発明の斜視図
【図２】  本発明の一部分を切り開いた斜視図
【図３】  本発明の使用状態を示す断面図
【図４】  本発明の上布、中布、下布の正面図で、（ａ）は、四角形の上布（１）の正面図  （ｂ）は、四角形の下布（２）の正面図  （ｃ）は、四角形の中布（３）の正面図
【図５】  本発明の使用例で、（ａ）は、洗濯ネットに洗濯物を入れた状態  （ｂ）は、洗濯物を四角形の中布（３）に巻きつけた状態  （ｃ）は、ファスナー（５）を閉じた状態  （ｄ）は、洗濯ネットを二つ折りにして、紐（６）で縛った状態
【図６】  本発明の使用例で、（ａ）は、洗濯ネットに洗濯物を入れた状態  （ｂ）は、洗濯物を四角形の中布（３）に巻きつけた状態  （ｃ）は、ファスナー（５）を閉じた状態  （ｄ）は、洗濯ネットを二つ折りにして、紐（６）で縛った状態
【符号の説明】
【０００８】    １    四角形の上布
２    四角形の下布
３    四角形の中布
４    補強布
５    ファスナー
６    紐
７    洗濯物
１ａ  四角形の上布の上辺
１ｂ  四角形の上布の下辺
１ｃ  四角形の上布の右辺
１ｄ  四角形の上布の左辺
２ａ  四角形の下布の上辺
２ｂ  四角形の下布の下辺
２ｃ  四角形の下布の右辺
２ｄ  四角形の下布の左辺
３ａ  四角形の中布の上辺
３ｂ  四角形の中布の下辺
３ｃ  四角形の中布の右辺
３ｄ  四角形の中布の左辺
【図１】
2009268865.tif 000003
【図２】
2009268865.tif 000004
【図３】
2009268865.tif 000005
【図４】
2009268865.tif 000006
【図５】
2009268865.tif 000007
【図６】
2009268865.tif 000008
(57)【要約】【課題】使用した歯ブラシの柄を伝って水が歯ブラシスタンドの底に溜まっていた。それをもっと通気性を良くし衛生的にする。また電動歯ブラシのヘッド部分や歯間用ジェット水流のノズルなど短い物の置き場所のある歯ブラシスタンドを提供する。【解決手段】大小のポケットの付いた布製の歯ブラシスタンドをフックやタオル掛けに掛けたり、クリップのようなもので吊り下げて通気性を良くし、大きいポケットには一般の歯ブラシを入れ、小さいポケットには電動歯ブラシのヘッド部分や歯間用ジェット水流のノズルなどの小物を入れることができるという道具です。【選択図】図１
2009268862.tif 000002
【特許請求の範囲】
【請求項１】
大小ポケットの付いた布製の歯ブラシスタンドの掛けひもの部分をフックやタオル掛けに掛けたり、クリップのようなもので挟んで吊り下げて通気性を良くし、大きいポケットには一般の歯ブラシを入れ、小さいポケットには電動歯ブラシのヘッド部分や歯間用ジェット水流のノズルなどの小物を入れることができるという道具です。
【発明の詳細な説明】
【技術分野】
【０００１】本発明は歯ブラシや電動歯ブラシのヘッド部分、歯間用ジェット水流のノズル部分などを布製ポケット型の歯ブラシスタンドに挿して保管できるようにした物です。この歯ブラシスタンドは通気性に優れ、洗濯機で手軽に洗えるのでカビなどが着くこともなく、また一人分ずつ保管するなどした場合、家族全員の歯ブラシを一つの歯ブラシスタンドを使用のとは違い水を通して風邪などなどが感染することもなくなるというものです。
【背景技術】
【０００２】従来はプラスチックや陶器で出来たコップ型などの歯ブラシスタンドしかなかった。この場合だと使用した歯ブラシから柄を伝って水がコップの底に溜まってしまいました。
【発明の開示】
【発明が解決しようとする課題】
【０００３】歯ブラシをプラスチックや陶器などの歯ブラシスタンドに立てて置くと歯ブラシに付いていた水が歯ブラシを伝って底に水が溜まって衛生的にもよくない。また電動歯ブラシのヘッド部分や歯間用ジェット水流のノズル部分を置く場所に困っていました。本発明はこのようなことを解決するためになされたものです。
【課題を解決するための手段】
【０００４】キルティングなどの厚めの布で大小のポケットを設け、大きい方には一般的な歯ブラシを挿し、小さい方のポケットには電動歯ブラシのヘッドや歯間用ジェット水流のノズル部分のように短いものを挿します。そしてこの布の歯ブラシスタンドの掛けひもの部分をフックやタオル掛けなどに掛けたり、クリップのようなもので吊り下げて使用します。
【発明の効果】
【０００５】・歯ブラシスタンドが布でできており、フックに掛けたり、クリップのようなもので吊り下げてあるので通気性が良く歯ブラシを衛生的に保管することができる。
・小さいポケットも付いているので電動歯ブラシのヘッド部分や歯間用ジェット水流のノズル、歯間用ブラシなどの小物も収納することができます。
・一人分ずつ分けて使用すれば風邪などの菌が移ることを避けることができます。
・歯ブラシスタンドが布でできているのでプラスチックや陶器の歯ブラシスタンドのように底に水が溜まることがなく衛生的である。
・歯ブラシスタンドが布でできているので、洗濯機で手軽に洗うことができます。
【実施例】
【０００６】以下、本発明の実施の形態を説明する。
（イ）キルティングなどの厚めの布で大小ポケットが付いたポケット型歯ブラシスタンド（１）を作る。
（ロ）ポケット型歯ブラシスタンドをフックなどに掛けて使用できるように掛けひも（５）を取り付ける。またクリップ（１０）などに挟んで使用するときにしっかり留まるように上部を一折したデザインにする。
本発明を使用するときは、大きいポケット（２）には一般的な歯ブラシ（６）を入れ、小さいポケット（３）には電動歯ブラシのヘッド（７）部分や歯間用ジェット水流のノズル（８）などを入れる。
【図面の簡単な説明】
【０００７】
【図１】本発明の斜視図である。
【図２】本発明の表側の正面図である。
【図３】本発明の裏側の正面図である。
【図４】本発明の断面図である。
【図５】本発明をタオル掛けにかけた時の使用図である。
【図６】本発明をクリップに挟んで吊るした時の使用図である。
【符号の説明】
【０００８】１  ポケット型歯ブラシスタンド
２  大きいポケット
３  小さいポケット
４  おまけポケット
５  掛けひも
６  一般的な歯ブラシ
７  電動歯ブラシのヘッド
８  歯間用ジェット水流のノズル
９  タオル掛け
１０  クリップ
【図１】
2009268862.tif 000003
【図２】
2009268862.tif 000004
【図３】
2009268862.tif 000005
【図４】
2009268862.tif 000006
【図５】
2009268862.tif 000007
【図６】
2009268862.tif 000008
(57)【要約】      （修正有）【課題】つけものを作る時つけもの器のつけものに圧力をかけなければ、ただつけものを箱にふうじこめただけになってしまう。つけものを作る時、つけもの器のつけものに圧力をかけ続けることができる漬物器具を提供する。【解決手段】この漬物器具の本体は、大まかに上ふた１に開くバネ３のはしが固定され一方中ふた６も同じように開くバネのはしが穴に固定されて、これによって上ふた１を棒にそってカギ５がかかるまで押すとバネの圧力が漬物を圧縮し続ける。このつけもの器は具の多さによってリードでバランスを取り漬物を作る事が出来る。【選択図】図２
2009268458.tif 000002
【特許請求の範囲】
【請求項１】
開くバネだけによるつけものを、作る事が出来る
【請求項２】
上ぶたと中底にバネを固定する方式である
【請求項３】
持ち運びがよい
【請求項４】
ネジ式より操作が簡単である
【請求項５】
冷蔵庫にも入れる事が出来る
【請求項６】
ネジ式より形がコンパクトである
【請求項７】
つけもの器全体が洗いやすい
【請求項８】
ネジ式より本体のほうが収納スペースが多く取れる
【発明の詳細な説明】
本発明のつけもの器は、上ぶた１に固定してあるバネ３（開く型）の容器７の漬物を手で押してカギがかかるまで圧縮する。
なお上ぶた１カギ５で固定したり開放したりする事が出来る、漬物は少ないときはバネ３の圧力が、少なく大きいときは、大きい
【図面の簡単な説明】
【図１】本発明の正面図である
【図２】本発明の使用状態を示す断面図である
【符号の説明】
１  上ぶた（プラスチック）
２  底        〃  〃
３  バネ  （ステンレス）
４  リード（プラスチック）
５  カギ      〃  〃
６  中ぶた    〃  〃
７  容器      〃  〃
８  穴        〃  〃
９  棒        〃  〃
【図１】
2009268458.tif 000003
【図２】
2009268458.tif 000004
(57)【要約】【課題】  本発明は各種みかんの葉を採取して来て、葉っぱに傷をつけないように気をつけて洗い、水分を切り、徹底的な室内乾燥をした後。乾燥して縮み、丸くなった葉の内側に虫類がいないかを良く調べた後に刻み、あるいは粉末にして造るみかんの葉っぱ茶である。  課題は、乾燥して丸くちぢんだ中側に虫類の有無に気をつける事。（試作品を乾燥して２ヵ年保存してあるが、虫の発生は、今のところ、無しである）【解決手段】  乾燥室に虫類が侵入、発生等を防止のために、殺虫剤をできるだけ使用しないで、各部に網を細く張ると共に、強力な扇風機で常に吹き飛ばしていれば、大丈夫である。試作品を２ヵ年乾燥、保存しているのに、虫の侵入、発生が無いのは、みかん独特の成分に依ると思っている。【選択図】図１
2009268451.tif 000002
【特許請求の範囲】
【請求項１】
各種みかんの葉っぱを採取して来て徹底的に室内乾燥して粉砕して作ったみかの葉茶
【発明の詳細な説明】
【技術の分野】
【０００１】  本発明は、各種みかんの木から採取した葉っぱを水洗いして、扇風機や遠心分離器等で水分を充分に切り、大きなザルや網等に広げて徹底的に室内乾燥をする。お茶用は室内温度２５度〜３０度で約５ヶ月以上乾燥した後で製造する。一般的なドリンク用は、室内温度１０度〜２０度で約２ヶ月〜３ヶ月乾燥した後で製造する。その違いは、色が問題で、お茶用は、いわゆる一般的な茶色に、一般的なドリンク用は青色になるからで、養分も多分変わるだろうが、現在の養分は別紙の記録であるが、商品化する際は、パンフレットにも記入が必要なので、改めて試験記録を取る。
【背景技術】
【０００２】  お茶を常飲する日本人は、お茶の香り、味、色、すなわち茶色に極めて敏感である。本発明の茶は、みかんの葉っぱを徹底的に室内乾燥して、刻みと粉末にしたものであるから、香り、味、色も現在、飲まれている一般的なお茶と比較しても遜色がないが、その状態をいかに長期に維持するかが問題であるが、それは、あまり量産して、長期保存しないようにして、生産と販売のバランスを取る事が大切である。
【発明の開示】
【発明が解決しようとする課題】
【０００３】  本発明は、各種みかんの木の葉を無傷で徹底的に室内乾燥して刻み、または粉末にした、みかんの葉っぱ茶及び一般的なドリンク用の粉末であるが、製造過程で最も大切な事は、葉っぱに傷をつけない事である。それは、葉っぱに含まれている養分が飛び去るからである。いかに、葉っぱを無傷の状態で乾燥するかが課題である。
【課題を解決するための手段】
【０００４】  上記、本発明の課題を解決するための手段として、葉っぱの採取時に袋にむりむり詰め込むのは絶対に避け、洗う時もゆるやかに流れる川の流れに添って流れるように洗い、扇風機や速度をゆるくして遠心分離機で水分を切ったあとで乾燥する。そして、一段と大切な事は、葉っぱの付け根、図１の２の部分の切り取りは、刻む直前、粉末機にかける直前に切り落とす事が大切である。
【発明の効果】
【０００５】  本発明は、あの美味しいみかんを生み出す元である葉っぱであるから香り、味、色、そして成分、養分のある事は、簡単に想像がつく。お茶の好きな高齢者数人に試飲してもらったが好評である。成分は別紙試験報告の通りで、特許が下りしだい、本格的な製造で、国民の健康茶飲料として貢献したい。
【発明を実施するための最良の形態】
【０００６】  本発明は、前述の通り、各種みかんの木の葉の採取からはじまるのだが、基本的に一枚一枚、木の枝から採取する。しかし、時と場所によっては枝を切り取ってから取る方法もあるが、いすせれも必ず水洗いの後、水分を切り、徹底した室内乾燥するのだが、いずれも無傷に気を遣う事と、通風の良好な環境での乾燥で製造することが最良の形態である。
【実施例】
【０００７】  みかんの木のから採取して来た葉は、まず葉に傷をつけないように気をつけて水洗して、扇風機・遠心分離機等で水分を取った後で、通風の良いザル、網等に広げて徹底的に乾燥する（約５ヵ月以上）。葉は乾燥すると丸くなって縮む。その中側に虫類の有無を確認した後に刻み機やミキサー等で刻み、粉末にすれば出来上がりである。
【産業上の利用可能性】
【０００８】  日本人は、お茶と言う常飲料はなくてはならない物の一つであり、現在、様々なお茶があるが、このみかんの葉っぱ茶が中間する事で、お茶好きな日本人に喜びが一つ増える事になる。このみかんの葉っぱ茶は製造次第で、二種類の飲料が出来る。茶の黄色は気温２５度から３０度以内の通風の良い環境で乾燥すれば出来る。一般的ドリンク用、すなわち緑色の湯は、気温１０度から２０度以内で（約２ヵ月から３ヵ月で）緑色のドリンクが出来る。従って産業上、極めて広範囲に飲料用として利用する事が出来る。
【図面の簡単な説明】
【０００９】
【図１】  １は、採取してきたみかんの葉っぱで、２は葉っぱの付け根。
【図２】  １は、室内乾燥で縮んでいる図で、２は葉っぱの付け根。
【図３】  １は、乾燥で縮み、２は付け根を切り取った図で、すなわち刻む前、粉末にする前である。
【符号の説明】
【００１０】  １は、みかんの葉本体。
２は、葉の付け根で、刻む前、粉末にする前に切断する。
【図１】
2009268451.tif 000003
【図２】
2009268451.tif 000004
【図３】
2009268451.tif 000005
(57)【要約】【課題】（１）釣針に（６）分離防止を（４）固定具により圧着し、（２）針脱着具に（９）固定具を設け、（３）固定針と（５）回転具と（６）分離防止を圧着したビッグ針を提供する。【解決手段】（１）釣針の曲線部に（１３）細目部分と（１４）輪を設け、（１）釣針に（６）分離防止を（４）固定具で圧着し、（２）針脱着具に（７）斜面と（８）通路を設け、（２）針脱着具の先端に（９）固定具を設け、さらに（９）固定具に（１０）固定穴を設け、（３）固定針に（１２）抜け防止と（１１）回転止を設け、（２）針脱着具の（９）固定具に（３）固定針と（５）回転具を差し込みさらに（１０）固定穴に（６）分離防止を差し込んで圧着したことを特徴とする。【選択図】図１
2009268457.tif 000002
【特許請求の範囲】
【請求項１】
（１）釣針に（６）分離防止を（４）固定具により圧着し、（２）針脱着具に（９）固定具を設け、（３）固定針と（５）回転具と（６）分離防止を圧着したビッグ針である。
【発明の詳細な説明】
【技術分野】
【０００１】  この発明は、釣針を目立たなくし、必要な時に回転してはみ出てくる釣針に関するものである。
【背景技術】
【０００２】  従来の釣針は、はみだして固定のため魚の警戒心が高かった。
【発明の開示】
【発明が解決しようとする課題】
【０００３】  これは次のような欠点があった。
イ、  魚の視界に見える餌に付けた釣針が見える。
ロ、  魚が餌を食べる時は、釣針がはみ出て気になる。
ハ、  普通の釣針では、なるべく小さい釣針を使用していた。
ニ、  釣針が小さいと、曲線部が伸びたり切れたりしていた。
ホ、  釣り上げる確率が少なかった。
【課題を解決するための手段】
【０００４】  （１）釣針の曲線部に（１３）細目部分と（１４）輪を設け、（１）釣針に（６）分離防止を（４）固定具で圧着し、（２）針脱着具に（７）斜面と（８）通路を設け、（２）針脱着具の先端に（９）固定具を設け、さらに（９）固定具に（１０）固定穴を設け、（３）固定針に（１２）抜け防止と（１１）回転止を設け、（２）針脱着具の（９）固定具に（３）固定針と（５）回転具を差し込みさらに、（１０）固定穴に（６）分離防止を差し込んで圧着する。
【発明の効果】
【０００５】  魚に見えにくい釣針で、普通の釣針より大きい釣針を使用でき、釣りの成果が得られる。
【発明を実施するための最良の形態】
【０００６】イ．  （１）釣針の曲線部に楕円形の（１３）細目部分と末端に円の（１４）輪を設け、（１）釣針の末端側に軟弱な糸状の（６）分離防止を円筒状の（４）固定具で圧着する。
ロ．  （２）針脱着具の左右に（７）斜面と上部に（１３）細目部が通る（８）通路を設け、（２）針脱着具の先端に円筒状の（９）固定具を設け、さらに（９）固定具に円形の（１０）固定穴を設ける。
ハ．  （３）固定針の先端に、（１２）抜け防止と末端に（１１）回転止を設ける。
ニ．  （２）針脱着具の（９）固定具の先端に、（３）固定針と末端にやや強めの糸状の（５）回転具を差し込みさらに、（１０）固定穴に（６）分離防止を差し込んで圧着する。
ホ．  （１）釣針の（１３）細目を、（２）針脱着具の（８）通路に通して（１）釣針の曲線部面側の（１４）輪に（５）回転具の末端を差し込む。
本発明は、以上の構成よりなっている。
【実施例】
【０００７】  本発明を使用するときは、（１）釣針の（１４）輪に（１５）糸を結び（１６）矢印の方向に引くと、（１）釣針の曲線部が（７）斜面にあたり回転し、（１３）細目が（８）通路を通り（１）釣針が抜ける。
【図面の簡単な説明】
【０００８】
【図１】  本発明の収納した時の斜視図
【図２】  本発明の回転して出る時の斜視図
【図３】  本発明の部材説明
【図４】  本発明の（１）釣針の構造図
【図５】  本発明の（２）針脱着具の構造図
【図６】  本発明の（３）固定針の構造図
【苻号の説明】
【０００９】  １  釣針
２  針脱着具
３  固定針
４  固定具
５  回転具
６  分離防止
７  斜面
８  通路
９  固定具
１０  固定穴具
１１  回転止
１２  抜け防止
１３  細目
１４  輪
１５  糸
１６  矢印
【図１】
2009268457.tif 000003
【図２】
2009268457.tif 000004
【図３】
2009268457.tif 000005
【図４】
2009268457.tif 000006
【図５】
2009268457.tif 000007
【図６】
2009268457.tif 000008
(57)【要約】【課題】  日頃、健康美や体力作りに努めている方々、成長期にある発育盛りの方々、乳製品だけのヨーグルトでは味覚、風味、食することに抵抗感がある方々に気軽にご愛用いただける、栄養価が高く、健康的で、食感、味覚、風味と共々に味わうことのできる、豆乳入りの豆腐のヨーグルトを提供する。【解決手段】  丸大豆（国産、遺伝子組み換え大豆は使用しておりません）の豆乳全体で１０００ｇ中に豆乳２０８ｇ、牛乳２０５ｇ、ヨーグルト３９８ｇ、生クリーム１００ｇ、グラニュー糖７０ｇ、オリゴ糖９ｇ、粉ゼラチン５ｇ、バニラエッセンス３ｇ、増粘剤Ｌ  ２ｇを混合させて、混合液を作る。その混合液を湯煎で加熱して全体を溶解させ、その後充填して冷却する。乳清たんぱく質、大豆たんぱく質、イソフラボン等の栄養価が高く、健康的で、食感、味覚、風味と共々に揃っているヨーグルトを作ることを特徴とする豆腐のヨーグルトである。【選択図】図１
2009268455.tif 000002
【特許請求の範囲】
【請求項１】
丸大豆（国産、遺伝子組み換え大豆は使用しておりません）の豆乳全体で１０００ｇ中に豆乳２０８ｇ、牛乳２０５ｇ、ヨーグルト３９８ｇ、生クリーム１００ｇ、グラニュー糖７０ｇ、オリゴ糖９ｇ、粉ゼラチン５ｇ、バニラエッセンス３ｇ、増粘剤Ｌ  ２ｇを混合させて、混合液を作る。その混合液を湯煎で加熱して全体を溶解させ、その後充填して冷却する。乳清たんぱく質、大豆たんぱく質、イソフラボン等の栄養価が高く、健康的で、食感、味覚、風味と共々に揃っているヨーグルトを作ることを特徴とする豆腐のヨーグルト。
【発明の詳細な説明】
【技術分野】
【０００１】  本発明は、日頃健康美や体力作りに努めている方々、成長期にある発育盛りの方々、乳製品だけのヨーグルトでは味覚、風味、食することに抵抗感がある方々に気軽にご愛用いただける、栄養価が高く健康的で、食感、味覚、風味と共々に味わうことのできる豆乳入りの豆腐のヨーグルトに関するものである。
【背景技術】
【０００２】  従来、ヨーグルト製品には、生乳、乳製品、砂糖、乳清たんぱく質等のものを混合させ、混合液を作り、充填していた乳製品であった。
【発明の開示】
【発明が解決しようとする課題】
【０００３】  そのために、次のような問題があった。
（イ）乳製品だけのヨーグルトだけでは、味覚、風味、食することに抵抗感があった方々が存在していた。
（ロ）乳製品だけのヨーグルトだけでは、成長期にある発育盛りの方々、日頃健康管理を心掛けている方々には、栄養補給が損なっていた。
本発明は、以上の問題点を解決するためのものである。
【課題を解決するための手段】
【０００４】  丸大豆（国産、遺伝子組み換え大豆は使用しておりません）の豆乳全体で１０００ｇ中に豆乳２０８ｇ、牛乳２０５ｇ、ヨーグルト３９８ｇ、生クリーム１００ｇ、グラニュー糖７０ｇ、オリゴ糖９ｇ、粉ゼラチン５ｇ、バニラエッセンス３ｇ、増粘剤Ｌ  ２ｇを混合させて、混合液を作る。その混合液を湯煎で加熱して、全体を溶解させる。その後、充填して冷却する。乳清たんぱく質、大豆たんぱく質、イソフラボン等の栄養価が高く、健康的で、食感、味覚、風味と共々に揃っているヨーグルトを作る。以上を特徴とする豆腐のヨーグルト。
【発明の効果】
【０００５】  乳製品だけのヨーグルトではないので、乳製品独特の食感、味覚、風味は無くなり、栄養価の高く、健康的で、より良い食感、味覚、風味と共々に味わうことを得ることができる。
【発明を実施するための最良の形態】
【０００６】  以下、本発明の実施の形態について説明する。
（イ）全体で１０００ｇ中に豆乳（１）２０８ｇ、牛乳（２）２０５ｇ、ヨーグルト（３）３９８ｇ、生クリーム（４）１００ｇ、グラニュー糖（５）７０ｇ、オリゴ糖（６）９ｇ、粉ゼラチン（７）５ｇ、バニラエッセンス（８）３ｇ、増粘剤Ｌ（９）２ｇを寸胴（１１）に入れて混合し、混合液を作る。
（ロ）混合液を湯煎（１０）で８５〜９０℃、３分以上維持しながらかき混ぜる。
（ハ）その後、混合液をかき混ぜながら、６５〜７０℃まで冷やす。
（ニ）その後、４０℃のお湯に湯煎（１０）して、更にヨーグルトを加えて混ぜ合わせる。そして充填して冷却する。
【図面の簡単な説明】
【０００７】
【図１】本発明の工程を示すフローチャート図、斜視図
【図２】本発明の分量割合表
【符号の説明】
【０００８】１．豆乳              ５．グラニュー糖          ９．増粘剤Ｌ
２．牛乳              ６．オリゴ糖            １０．湯煎
３．ヨーグルト        ７．粉ゼラチン          １１．寸胴
４．生クリーム        ８．バニラエッセンス
【図１】
2009268455.tif 000003
【図２】
2009268455.tif 000004
(57)【要約】【課題】  従来、釣り具の糸よれを解消する道具として道糸に対するものはあるが、釣り仕掛けのハリスに対するものはない。ハリスに糸よれが生じ、糸よれを解消しようとする場合、糸よれを起こしたハリス自体のより戻し力より抵抗の小さい回転体が必要であるが、現在開発されていない。そのため、その糸よれと糸よれによる癖を解消するために指先でしごく等で対応しているがその効果は完全ではなく、その多くはハリスを切断もしくは、釣り仕掛け全体を取り替えて破棄していた。【解決手段】  本発明は、磁力の反発力を利用して回転抵抗の軽減と引張り力の調整を図った回転棒にハリスまたはハリスの先端の釣り針を掛け、引張ることによりハリス自体のより戻し力により回転棒と共に回転させ糸よれを解消し、さらに磁力の反発力以上に引張り力を強めてスプリングに圧縮力を発生させ、ハリスの張力をスプリングの抵抗を利用して調整しながらハリスの糸よれの癖を解消する。【選択図】図1
2009268445.tif 000002
【特許請求の範囲】
【請求項１】
釣り仕掛けのハリスの糸よれおよび糸よれの癖を解消する道具であって、該道具は磁石の磁力による反発力を利用して、回転抵抗の軽減と引張り力の調整を図った回転棒を引張り、ハリスと共に回転させることによって、ハリスの糸よれを解消し、さらに磁力の反発力以上に引張り力を強めてスプリングに圧縮力を発生させ、ハリスの張力をスプリングの抵抗を利用して調整しながらハリスの糸よれの癖を解消する道具。
【発明の詳細な説明】
【技術分野】
【０００１】
本発明は、釣り仕掛けのハリスの糸よれを容易に解消すると共に、糸よれの癖を解消する道具に関するものである。
【背景技術】
【０００２】
従来、釣り具の糸よれを解消する道具として道糸に対するものはあるが、釣り仕掛けのハリスに対するものはない。
【０００３】
ハリスに糸よれが生じ、糸よれを解消しようとする場合、糸よれを起こしたハリス自体のより戻し力より抵抗の小さい回転体が必要であるが、現在開発されていない。
【０００４】
そのため、その糸よれと糸よれによる癖を解消するために指先でしごく等で対応しているがその効果は完全ではなく、その多くはハリスを切断もしくは、釣り仕掛け全体を取り替えて破棄していた。
【発明の開示】
【発明が解決しようとする課題】
【０００５】
ハリスの切断もしくは、釣り仕掛け全体を取り替えることは不経済であると共に、不要となったハリスとその先端にある釣り針は破棄されるため、環境に対してやさしくはない。
【０００６】
従って、本発明の道具を使用することにより、破棄される釣り仕掛け量を減少することができ、経済的かつ環境にもやさしくすることが可能となる。
【課題を解決するための手段】
【０００７】
本発明は、磁力の反発力を利用して回転抵抗の軽減と引っ張り力の調整を図った回転棒にハリスまたはハリスの先端の釣り針を掛け、引っ張ることによりハリス自体のより戻し力により回転させ糸よれを解消し、かつ、さらに引っ張り力を強めた時にはスプリング抵抗を利用してハリスに作用させる張力を調整し、糸よれの癖を解消する。
【発明の効果】
【０００８】
上述の様に、本発明の釣り仕掛けのハリスの糸よれを解消する道具は、糸よれのトラブル時には糸よれおよび糸よれの癖をすばやく解消することが可能となり、釣期のタイミングを逸することなく釣り仕掛けの投入ができる。
【０００９】
さらに、釣り仕掛けの交換が減少することにより経済的であるばかりでなく、釣り仕掛けの破棄を減じることができ、環境にやさしくでき省資源にも寄与できる。
【発明を実施するための最良の形態】
【００１０】
以下に、本発明の実施例について図面を参照しながら説明する。
【００１１】
本発明の構造は図1に示すように、先端がフックともう片方にスプリングとその外側に一対のドーナツ状の磁石を同極を向かい合わせにして通した回転棒を鞘管に入れている。
【００１２】
このとき、回転棒の回転抵抗を最小限にするため、スプリングおよび磁石は回転棒とは固定させていない。つまり、回転棒は磁石の磁力による反発力により鞘管内で回転がフリーな状態で収まっている。
【００１３】
未使用時の状態は、磁石の磁力による反発力により回転棒はフックの付け根がストッパーの位置で収まり、鞘管内に収納されている。
【００１４】
使用時は、釣り仕掛けのハリス先端または先端にある釣り針に回転棒のフックを掛け、鞘管を磁力の反発力の範囲内の力で引張ると、回転抵抗を軽減された回転棒は、糸よりを起こしたハリスが引張られ、ハリス自体のより戻し力により回転棒と共に回転し、糸のよりが解消される。
【００１５】
さらに磁力の反発力より強く鞘管を引張ることにより、一対の磁石が接してスプリングに圧縮力を発生させ、ハリスを伸ばし糸よりの癖が解消する。このとき、鞘管内に設置されたスプリングにより、引張り力はハリスの強度に見合った力に調整され、過度の引張り力によるハリスの切断を防止することができる。
【００１６】
また、ハリスの太さおよび強度に対しては、磁力およびスプリングの強度を替えることによって容易に調整できる。
【図面の簡単な説明】
【００１７】
【図１】本発明の側断面図である。
【符号の説明】
【００１８】
１  回転棒
２  フック
３  磁石
４  スプリング
５  鞘管
６  ストッパー
【図１】
2009268445.tif 000003
(57)【要約】      （修正有）【課題】暑さの厳しい夏季などにおいて、嗜好的に好まれる甘酒飲料を提供する。【解決手段】加糖甘酒（糖度４１、グルコース含量６％）を予めミキサーにて微粉砕した後、５００ｍｌの耐熱圧性ペットボトルに２５０ｍｌ充填する。次に、専用のカーボネーター試験器で、中身の炭酸ガスボリュームが３．８Ｌ／Ｌ（２０℃）になるように炭酸水で満杯充填、密封し、最後に、７０℃で３０分殺菌する。このように、炭酸ガスまたは炭酸水を甘酒に加えることで、著しく清涼感を有する飲料。【選択図】なし【特許請求の範囲】
【請求項１】
甘酒に炭酸ガスまたは炭酸水を加えて得られる、固体または液体の甘酒の
炭酸飲料
【発明の詳細な説明】
【技術分野】
【０００１】
本発明は、甘酒に炭酸ガスまたは炭酸水を加えて得られる甘酒の炭酸飲料に関する。
【背景技術】
【０００２】
甘酒は、江戸時代には夏季に飲食されていたが、明治以降いつの間にか、主に冬季
に飲食されるようになった。甘酒を夏季にも製造販売するために、過去にもいろいろな
努力がされたが、いづれも市場に定着していない。すなわち、甘酒が夏季にも飲食され
るような、商品が渇望されている。
【発明の開示】
【発明が解決しようとする課題】
【０００３】
過去の努力の結果としては、甘酒の甘味を減らしたり、甘酒に果汁果肉を加えたり、
包装形態を変えたり、甘酒の米粒を粉砕したり、ネーミングを変えたりなどの夏季
にも飲食しやす努力がなされたが、いづれも清涼感がいま一不足であり、市場に定着
していない。
【０００４】
したがって、本発明は、従来のものにくらべて、著しく清涼感のある甘酒飲料を提
供することを目的とする。
【課題を解決するための手段】
【０００５】
本発明者らは、主に夏季市場に定着する甘酒飲料の開発研究をする中で、炭酸ガスま
たは炭酸水を甘酒に加えることで、著しく清涼感をゆうする甘酒飲料になることを見い
出し本発明を完成するに至った。
【０００６】
すなわち、本発明の甘酒飲料は、甘酒と、少なくとも炭酸ガスまたは炭酸水を含有す
るもので、今までに該当するものがない、新規性をゆうするものである。
【０００７】
本発明に用いる甘酒は、米と米麹を用いて発酵させた本格的なものはもとより、酒粕
を用いただけの簡易なものでも構わない。また、それらに蔗糖、生姜などの他の副原料
を加えたものでもよい。要するに、通常甘酒と称されるものは、すべて含まれる。
【０００８】
本発明に用いる炭酸ガスまたは炭酸水は、甘酒に加える前の状態が、ガス状の二酸化
炭素でもよいし、二酸化炭素が水に溶けた炭酸水でもよい。また、甘酒の中で二酸化炭
素を発生させる仕組みによるものでもよい。
【発明の効果】
【０００９】
本発明の甘酒に炭酸ガスまたは炭酸水を加えて得られる甘酒の炭酸飲料は、清涼感い
ちじるしく、主に夏季に製造販売するのに好適である。
【発明を実施するための最良の形態】
【００１０】
本発明に用いる甘酒は固体、粉末、液状、ペースト状を問わないが、好ましくは容器
に充填が容易である液状、ペースト状が好ましい。
【００１１】
本発明に用いる甘酒の量は、結果として生成する炭酸飲料に清涼感があり、美味であ
れば、いくらでも構わないが、液状、ペースト状の場合、容器内容積の１／４から１／
２が好ましい。
【００１２】
本発明に用いる、容器中の炭酸ガスまたは炭酸水による炭酸ガスボリュームは、僅か
な量でも構わないが、２．０Ｌ／Ｌ（２０℃）から５．０Ｌ／Ｌ（同）が好ましい。    
【実施例】
【００１３】
以下実施例を挙げて、本発明を具体的に説明するが、これらの実施例は、本発明の範
囲を限定するものではない。
【００１４】
〈実施例１〉
当社製品である加糖甘酒（商品名：甘酒の素  糖度４１ グルコース含量６％）を予
めミキサーにて微粉砕した後、５００ｍｌの耐熱圧性ペットボトルに２５０ｍｌ充填し
た。次に、専用のカーボネーター試験器で、中身の炭酸ガスボリュームが３．８Ｌ／Ｌ
（２０℃）になるように炭酸水で満杯充填、密封した。最後に、７０℃で３０分殺菌し
た。本試作品をＡとする。
次に、同じ加糖甘酒に５％のレモン果汁を加え、ミキサー微粉砕たものを、同じペッ
トボトルに２５０ｍｌ充填し、単なるイオン交換水で満杯充填、密封した。最後に、８
５℃２５分殺菌した。本試作品をＢとする。
当社テストパネル（男１２名、女１３名  平均年齢男３８才、女２９才）を用いて、
予め冷蔵したＡとＢを嗜好調査した。各項目とも、１（よくない）、２（ややよくない）
、３（普通）、４（ややよい）、５（よい）の５点評価とした。結果（平均値）は以下の
とおりであった。
Ａ                   Ｂ
１：色（外観）                  ４．３                ３．９
２：味                          ４．８                ３．１
３：香                          ４．１                ４．０
４：触感（テクスチュア）        ３．３                ３．２
５：清涼感                      ５．０                ３．３
６：総合評価                    ４．７                ３．５
この結果を解析すると、味、清涼感、総合評価の項目で、ＢにくらべＡは、はるかに
よい評価を得ている。すなわち、甘酒に炭酸ガスまたは炭酸水を加えた効果が明白である  。ちなみに、レモン甘酒は、甘酒に各種の果汁（レモン、グレープフルーツ、ライム、メロン、オレンジ、イチゴなど）を加えたものの中で、これまでは、夏の飲料としても
っとも評価のよかったものである。
【００１５】
〈実施例２〉
当社製品である無加糖甘酒（商品名：純甘酒  糖度４０  グルコース含量２１％）１
００ｇに結晶クエン酸１．１１ｇ加えたものを縦長の袋に充填密封した後、８５℃で１
０分殺菌した（Ａ）。同じ袋に、水１００ｇに重炭酸ナトリウム１．３３ｇを加え、同様
密封殺菌した（Ｂ）。
同じ無加糖甘酒９５ｇにレモン果汁５ｇと結晶クエン酸０．８１ｇを加え、同様袋に
充填密封殺菌した（Ｃ）。
（Ａ）に（Ｂ）を加え、撹拌すると甘酒の炭酸飲料となり、清涼感のある、主に夏むき
の飲料となる。
前記当社テストパネルで、（Ａ）に（Ｂ）を加えたものと、（Ｃ）に水１００ｇを加え
たものを比較嗜好調査した。
結果は、（実施例１）と同じであり、有意に（Ａ）に（Ｂ）を加えたものの方が優れ
ていた。
【００１６】
〈実施例３〉
次の配合で、２種類の錠菓を試作した。（Ａ）：コーンスターチ８０ｇ、粉糖６０ｇ、
結晶クエン酸４．５ｇ、湯７．５ｇ、水少々、凍結乾燥した甘酒粉末３０ｇ、重炭酸ナ
トリウム２．３ｇ   （Ｂ）：コーンスターチ８０ｇ、粉糖６０ｇ、結晶クエン酸４．１ｇ、湯７．５ｇ、水少々、凍結乾燥した甘酒粉末３０ｇ、粉末レモン果汁２０   試作は、混合→練る→錠菓に成型→乾燥 の順に行った。（Ａ）と（Ｂ）を水に溶解して、前記当社テストパネルで比較嗜好調査した。結果は、（実施例１）と同じであり、有意に（Ａ）の方が（Ｂ）より優れていた。
(57)【要約】【課題】      ＲＦＩＤやＥＡＳシステム等のループ式アンテナと非接触ＩＣカードやタグ等のトランスポンダ間の通信距離を改善することを図る。【解決手段】  本発明のループアンテナの中心近傍に軟磁性体を設けることにより該ループアンテナの、特に中央近傍だけに、大きな密度の磁束を集束生成せしめ、磁界を大きく放射せしめ、通信距離を伸ばす。【選択図】図１
2009268040.tif 000002
【特許請求の範囲】
【請求項１】
ＲＦＩＤ（無線による認証）システムやＥＡＳ（電子商品監視）システム等のループアンテナであって、該ループアンテナの中央近傍に軟磁性体を設け、該ループアンテナの中央近傍に強い磁束を集束生成せしめることを特徴とするループアンテナ装置。
【請求項２】
請求項１のループアンテナ装置であって、前記軟磁性体の代わりに軟磁性体の粉末と透磁性のある樹脂との混合物を用いたループアンテナ装置。
【請求項３】
請求項１のループアンテナ装置であって、前記軟磁性体の代わりに軟磁性体の粉末と透磁性のあるインク塗料の混合物を用い、印刷にて塗布したループアンテナ装置。
【発明の詳細な説明】
【技術分野】
【０００１】    この発明は、ＲＦＩＤ（無線による認証）システムやＥＡＳ（電子商品監視）システム等のループアンテナ装置に関する。
【背景技術】
【０００２】    ＲＦＩＤ分野でのアンテナの読み取り距離は、ＵＨＦの８６０〜９６０ＭＨｚの場合、約５ｍである。一方、ＨＦの１３．５６ＭＨｚの電波帯の場合、最長で約７０ｃｍである。通信距離だけを見た場合、ＵＨＦの方が有利である。しかし、最近ＵＨＦの電波帯は植込み型心臓ペースメーカ等の医療機器に悪影響を起こす場合があることが明らかになり、ＵＨＦの電波帯は使用する現場に制約が生じて来ている。【０００３】    しかし、ループアンテナを使用するＨＦ電波帯の通信距離は短く、例えばゲート式アンテナの場合、その間隔が約１ｍほどしかなく、緊急時等の場合、そのゲートを通っての避難等には問題があり、アンテナ（リーダライタ）と非接触ＩＣカードやタグなどのトランスポンダ（応答機）との通信距離の改善が求められていた。【０００４】    特許文献１および２において、ループアンテナからトランスポンダに向けて電磁波を放射する方向とは逆の、つまりループアンテナ基盤の裏面に異なった形体の軟磁性体を取り付けているが、これらの軟磁性体の位置がアンテナに近づきすぎているため、また軟磁性体の面積が広すぎるため、軟磁性体に流れる磁力線はアンテナ近傍だけに集中し、ループアンテナの中心部に強い磁束の密集を生成できず、有効な通信距離の向上につながっていない。
【特許文献１】特開２００５−２１０２１３号広報
【特許文献２】特開２００５−２１０２２３号広報
【０００５】
【発明の開示】
【発明が解決しようとする課題】
【０００６】    ＲＦＩＤやＥＡＳシステム等のループ式アンテナと非接触ＩＣカードやタグ等のトランスポンダ間の通信距離を改善する。
【課題を解決するための手段】
【０００７】    本発明のループアンテナの中心近傍に軟磁性体を設けることにより該ループアンテナの、特に中央近傍だけに、大きな密度の磁束を集束生成せしめ、磁界を大きく放射せしめる。
【発明を実施するための最良の形態】
【０００８】    本発明のループアンテナ装置は特に該ループアンテナ１の中央近傍に強い磁束を集束生成せしめることを特徴とする。その為に軟磁性体２をループアンテナ１からある程度の距離を保ち、該ループの中央近傍だけに軟磁性体２を取り付ける。【０００９】    図１は本発明の１例で、ループアンテナ１の中央近傍に軟磁性体２を取り付けた上部正面から見た概略図である。【００１０】    図２は図１の本装置を側面から見た概略図で、磁力線３がループアンテナ１の中央の軟磁性体２に集束され、強い磁束がループアンテナの中央に生成されるため、磁場が大きく放射されることを表した概略図である。【００１１】    図３は本装置をゲート式ループアンテナに採用した場合の概略図である。なお、図１、２および３の軟磁性体２は図示されていない支持体によりループの中央近傍に取り付けられているものとする。【００１２】    本発明のループアンテナ装置にはパーマロイ等の軟磁性体を用いることができるが、軟磁性体の粉末と透磁性のある樹脂との混合物を利用しても良い。【００１３】    また軟磁性体の粉末と透磁性のあるインク塗料の混合物を用い、印刷にて塗布してもよい。
【発明の効果】
【００１４】    ＲＦＩＤシステムやＥＡＳシステムにおいて、その通信距離が伸びることの意味は大きい。通信ミスを少なくでき、作業性の向上、そしてそれらのことから、新たな使用用途が生まれる。またゲート式ループアンテナの場合、各ゲート間の間隔を大きく設置することや、また天井や床に設置することも出来、入退出の障害を小さくすることが出来る。
【図面の簡単な説明】
【００１５】
【図１】  ループアンテナ１の中央近傍に取り付けられた軟磁性体２を示す概略正面図
【図２】  磁力線の流れ、および磁束を示す概略側面図
【図３】  ゲート式ループアンテナの概略図
【記号の説明】
【００１６】１    ループアンテナ
２    軟磁性体
３    磁力線の流れ
４    ゲート式ループアンテナ
【図１】
2009268040.tif 000003
【図２】
2009268040.tif 000004
【図３】
2009268040.tif 000005
(57)【要約】      （修正有）【課題】一切の調整を必要としない補聴器を提供する。【解決手段】増幅度とＴＣとを入力レベルによって自動制御する。【選択図】図６
2009268039.tif 000002
【特許請求の範囲】
【請求項１】
音質調整を入力音信号レベルに対応して自動的におこない、さらに入力音信号レベルにかかわらず出力レベルをほぼ一定にすることを特徴とする補聴器の構成
【請求項２】
入力音信号レベルが小さいとき低音減衰の特性に、入力音信号レベルが大きいとき平坦の特性に自動的に調整することを特徴とする請求項１の補聴器の構成
【発明の詳細な説明】
【技術分野】
【０００１】この発明は補聴器の音質調整（以下Ｔ．Ｃ．と称する）と音量調節を自動化する技術の提供にかかる。
【背景技術】
【０００２】従来補聴器は音量調整とＴ．Ｃ．の２種類の調整が必要であった。
【発明の開示】
【発明が解決しようとする課題】
【０００３】補聴器使用者は難聴老人などであり、装置の微妙な調整は不得手なことが多く、この従来の補聴器の２種類の調整器操作が難点とされていた。図１は従来の補聴器の外形例である。電源スイッチ１のほかに音量調整器２Ｔ．Ｃ．３を備えている。
【課題を解決するための手段】
【０００４】音量に応じて自動的にＴ．Ｃ．を調整できる機能を補聴器に付加させて、さらに入力音量によらずほぼ一定の出力音量が得られるＡＧＣ（ａｕｔｏ  ｇａｉｎ  ｃｏｎｔｒｏｌ）特性をもたせて、従来の２種類の調整をまったく不必要にする補聴器を提供する。【０００５】難聴者の補聴特性として入力音が小さいときは低音を削減し高音を増強するＴ．Ｃ．が必要で、入力音が大きいときはほぼ平坦になるＴ．Ｃ．が必要で、あるとされている。
これは入力が小さいときは音がこもって聴きにくくなるため低音削減し、入力が大きいときはほぼ平坦に増幅することに対応している。
図２はこの補聴特性を示す。図は出力と周波数との関係を表すもので、入力が小さいときは低音減衰特性、大入力では平坦特性、となっている。【０００６】図３は人の聴力特性をしめすフレッチャー−マンソン曲線であり、広く公知で承認されているものである。図は正弦波のレベルと周波数との関係図である。入力レベルが小さいときは低音の感度が悪く、入力が大きいときはほぼ平坦になることがわかる。
補聴器の周波数特性を入力に応じて自動的にこのように可変させ、さらにＡＧＣ特性を付加して小さな入力のときは増幅度を増大させ、大きな入力では増幅度を減少させてほぼ一定の出力がえられるようにすると、使用者はいっさいの調整作業が不要となる。この補聴器の特性を図４にしめす。入力が小さいときと大きいときとの出力差が少なく、入力が小さくなると低音が減衰する。【０００７】入力の大きさに対応して前述のように増幅度特性を自動可変させるための構成を第５図に示す。入力は積算器５に加えられる。積算器５の出力はダイオード６で検波され平均器７でレベル化されて積算機５の他の入力に返される。積算機５は両入力を積算するのでその出力はＡＧＣ特性をもたせることが可能となる。このＡＧＣ構成は公知であるから詳細は省略する。この回路を用いた補聴器の構成を図６に示す．
この構成にあっては図のマイク８でえられる音信号はａｍｐ９で増幅されＡＧＣ回路１０を経て増幅器１１で電力増幅されイヤホン１２より出力される。ＡＧＣ回路１０は図５の構成と同一でよい。第７図はＡＧＣ特性の例である。入力４０ｄＢが１０ｄＢに圧縮される。このままでは周波数特性が平坦のまま出力レベルが圧縮されるが、ここで図８のような周波数特性をもったａｍｐ９を用いると入力が小さくてＡＧＣがかからない範囲では図８のような周波数特性そのものがあらわれ、入力が大きくなるとＡＧＣが効いて特性が平坦になり、図４に示したような補聴特性をもつようになる。図８の特性は図９の回路で実現可能である。
【発明の効果】
【０００８】これを採用した補聴器は一切の調整を必要としないので当然調整つまみを省くことができ超小型の耳穴形が可能となる、使用者は周辺条件によって頻繁に調整を必要としていた不便さから完全に開放される。補聴器使用者の一般的不満とされる機能不適応（常時聞きたい音にできない）から改善される。
【発明を実施するための最良の形態】
【０００９】説明文ではアナログ回路で実現する例を上げたが当然デジタル回路で実現することも可能である。
【図面の簡単な説明】
【００１０】
【図１】  従来の補聴器の外形例
【図２】  補聴器の必要とする周波数特性
【図３】  フレッチャー特性
【図４】  ＡＧＣのある補聴器の周波数特性
【図５】  ＡＧＣ回路
【図６】  補聴器の構成
【図７】  ＡＧＣ特性
【図８】  低域減衰特性
【図９】  低域減衰回路
【符号の説明】
【００１１】  １  電源スイッチ
２  音量調整器
３  Ｔ．Ｃ．
４  補聴器本体
５  積算器
６  ダイオード
７  平均器
８  マイク
９  ａｍｐ
１０  ＡＧＣ回路
１１  電力増幅器
１２  イヤホン
【図１】
2009268039.tif 000003
【図２】
2009268039.tif 000004
【図３】
2009268039.tif 000005
【図４】
2009268039.tif 000006
【図５】
2009268039.tif 000007
【図６】
2009268039.tif 000008
【図７】
2009268039.tif 000009
【図８】
2009268039.tif 000010
【図９】
2009268039.tif 000011
(57)【要約】      （修正有）【課題】携帯電話の画面を見ながらでも、自分の後方の状況が確認できる様に、バックチェックミラーを設置する事を提案する。【解決手段】携帯電話本体上部左右両端の画面と外枠との間のスペース（１）にミラー加工した半球面体（２）バックチェックミラーを両面テープなどを用いて設置する事で自分の後方の状況が確認できる。【選択図】図２
2009268043.tif 000002
【特許請求の範囲】
【請求項１】
携帯電話本体上部左右両端の画面と外枠との間のスペース（１）にミラー加工した半球面体（２）を設置して、画面を見ながらでも自分の後方が確認できるツール。
【発明の詳細な説明】
【技術分野】
【０００１】  本発明は携帯電話本体にミラー加工した小型半球面体を設置し、自分自身の後方の状況を把握する物に関する。
【背景技術】
【０００２】  覗き見防止フィルムなどはあるが、携帯電話の画面を見ながら自分の後方を確認できるツールは売られていない。
【発明の開示】
【発明が解決しようとする課題】
【０００３】  覗き見防止フィルムなどは販売されているが、携帯電話の両面を見ながらでも、自分の後方が確認できるツールは売られていない。本発明は新提案により新需要を掘り起こすものである。
【課題を解決するための手段】
【０００４】  携帯電話本体上部左右両端の画面と外枠との間のスペース（１）にミラー加工した半球面体（２）を設置する。本発明により携帯電話の画面を見ながらでも自分の後方が確認できる。
【発明の効果】
【０００５】  携帯電話の画面を見ながらでも、本発明が設置されていれば、自分の後方の状況を確認することができ、覗き見などを防ぐ事が可能となる。
パソコンに設置するなど、覗き見を防ぎたい多くの場面で応用して活用できるため、潜在需要は多くあると考える。
【発明を実施するための最良の形態】
【０００６】  以下、本発明を実施するための最良の形態について説明する。
携帯電話本体上部左右両端の画面と外枠との間のスペース（１）にミラー加工した半球面体（２）を両面テープなどを用いて設置する。
【実施例】
【０００７】  材質は、非折りたたみ式携帯電話の場合は、プラスチックなど硬質の物を使用する。【０００８】  材質は、折りたたみ式携帯電話の場合は、折りたたんだ際にバックチェックミラーが押しつぶされ、また開いた際に半球面体の形状に戻らなければならないので、形状の変化に対応でき、しかも原型に復活可能な材質をミラー加工する必要がある。樹脂などを用い内部を空洞化する場合は内部の空気が出入りできる空気穴なども必要になってくるものと考えられる。
【産業上の利用可能性】（イ）      携帯電話での利用。
（ロ）      パソコンでの利用。
（ハ）      画面を注視する多くの商品での利用が可能。
【図面の簡単な説明】
【０００９】
【図１】バックチェックミラーを示した断面図である。
【図２】バックチェックミラーを携帯電話に設置した時を示した正面図である。
【符号の説明】
【００１０】１  携帯電話本体上部左右両端の画面と外枠との間のスペース
２  ミラー加工した半球面体
【図１】
2009268043.tif 000003
【図２】
2009268043.tif 000004